(57)【要約】【課題】床面が完全に平坦なコンテナを、荷物固定用金具を床面に備える一般貨物用コンテナに転用する際の、改造を容易とする。【解決手段】荷物固定用金具１６が、外周フレーム１０の上面に直接載置される下床板１４の上面と同一高さの壁１８及び蓋２０によって、覆い隠されている。又、下床板１４及び蓋２０の各上面が、上床板２２によって連続的に覆われ、外周フレーム１０の上面と上床板２２の上面とが同一高さとなっていることで、突起物が無く完全に平坦な床面が構成される。一方、一般貨物用コンテナに転用する際には、図３に示されるように、上床板２２及びクッション材２４の、壁１８及び蓋２０を覆っている部分のみを切り欠き、蓋２０を取り外すことで、床板枠１２の内側面に隣接して外周フレーム上面に取付けられた荷物固定用金具１６を、露出させることが可能となる。【選択図】図２
2007308186.tif 000002
【特許請求の範囲】
【請求項１】
床板を支える外周フレーム上面に、床板の位置決めを行うための床板枠が、前記外周フレーム上面に直接載置される下床板の厚みよりも高く設けられ、該床板枠の内側面に隣接して、前記外周フレーム上面に、前記下床板の厚みよりも格納状態の高さが低く抑えられた荷物固定用金具が取付けられ、前記下床板及び前記荷物固定用金具の各上面が、上床板によって連続的に覆われ、前記外周フレーム上面と前記上床板上面とが同一高さとなっていることを特徴とするコンテナ床構造。
【請求項２】
前記上床板には、前記荷物固定用金具の位置表示としての凹凸又はペイントマークが一切設けられていないことを特徴とする請求項１記載のコンテナ床構造。
【請求項３】
前記上床板の厚みは、前記下床板の厚みよりも薄いことを特徴とする請求項１又は２記載のコンテナ床構造。
【請求項４】
前記下床板の上面と同一高さのカバーによって前記荷物固定用金具が覆われ、前記下床板には前記カバーとの干渉を防ぐための切欠きが設けられていることを特徴とする請求項１から３のいずれか１項記載のコンテナ床構造。
【請求項５】
前記カバーは、前記外周フレーム上面に固定され前記荷物固定金具の周囲を取り囲む壁と、該壁に対し着脱自在な蓋とからなることを特徴とする請求項４記載のコンテナ床構造。
【請求項６】
前記上床板と前記下床板との間にクッション材が設けられていることを特徴とする請求項１から５のいずれか１項記載のコンテナ床構造。
【発明の詳細な説明】
【技術分野】
【０００１】
本発明は、コンテナ床構造に関するものである。
【背景技術】
【０００２】
一般雑貨用コンテナ（汎用コンテナ）には、従来から、積み込まれた荷物を安定保持するための荷物固定用金具が設けられている（例えば、特許文献１参照。）。一般には、積み込まれた荷物にベルト（ラッシングベルト）を掛け回し、かつ、ベルト両端に設けたフックを、荷台の床面に設けられた荷物固定用金具（ラッシングリング）に引っ掛け、ベルトの中間部をバックルで巻き上げることにより、ベルトを荷物に押付けて、荷物の固定を行うことが多い（例えば、特許文献２参照。）。
【０００３】
【特許文献１】実開昭５１−１４６１３３号公報（第１頁、第３図〜第５図）
【特許文献２】特開２０００−９５２６８号公報（〔０００２〕〜〔０００４〕、図１、図２）
【発明の開示】
【発明が解決しようとする課題】
【０００４】
しかしながら、ロール紙等、荷台の床面に僅かな凹凸がある場合であっても汚れや傷が付き易い荷物を運ぶ場合には、荷台の床面に設けられたラッシングリングさえも好ましくない。そこで、従来から、ロール紙等汚れや傷に弱い荷物を搬送するために、床面にラッシングリング等の突起物が無く、床面が完全に平坦な専用コンテナが用いられている。そして、かかる専用コンテナも、一定期間の使用の後には床面に傷や汚れが付着し、ロール紙等の搬送には不適となることから、その時点で、床面に荷物固定用金具を取付ける改造が施され、一般貨物用コンテナに転用されていた。
本発明は、このような事情に鑑み、床面が完全に平坦であり、ロール紙等汚れや傷に弱い荷物を搬送するための専用コンテナの床構造を提供するものである。又、かかる専用コンテナを、荷物固定用金具を床面に備える一般貨物用コンテナに転用する際の、改造が容易な床構造を提供することを目的とするものである。
【課題を解決するための手段】
【０００５】
上記課題を解決するための、本発明に係るコンテナ床構造は、コンテナの床板を支える外周フレーム上面に、床板の位置決めを行うための床板枠が、前記外周フレーム上面に直接載置される下床板の厚みよりも高く設けられ、該床板枠の内側面に隣接して、前記外周フレーム上面に、前記下床板の厚みよりも格納状態の高さが低く抑えられた荷物固定用金具が取付けられ、前記下床板及び前記荷物固定用金具の各上面が、上床板によって連続的に覆われ、前記外周フレーム上面と前記上床板上面とが同一高さとなっていることを特徴とするものである。
【０００６】
本発明によれば、下床板及び荷物固定用金具の各上面が、上床板によって連続的に覆われ、前記外周フレーム上面と前記上床板上面とが同一高さとなっていることで、突起物が無く完全に平坦な床面が構成される。
そして、一般貨物用コンテナに転用する際には、上床板の、カバーを覆っている部分のみを切り欠き、カバーを取り外すことで、床板枠の内側面に隣接して外周フレーム上面に取付けられた荷物固定用金具を、露出させることが可能となる。
【０００７】
又、本発明において、前記上床板には、前記荷物固定用金具の位置表示としての凹凸又はペイントマークが一切設けられていないものである。
一般貨物用コンテナに転用するために、上床板の、カバーを覆っている部分のみを切り欠く際に、荷物固定用金具の位置表示としての凹凸又はペイントマークが予め設けられていれば、除去部分の特定が容易となるが、ロール紙等汚れや傷に弱い荷物にとって、床板に凹凸やペイントマークが施されていること自体、好ましくない。そこで、本発明では、上床板に荷物固定用金具の位置表示としての凹凸又はペイントマークを一切設けないこととした。なお、除去部分の特定は、例えば、コンテナ妻面から荷物固定用金具までの距離に相当する長さの治具を予め用意し、この治具を上床板に当てることで、正確に行うことができる。
【０００８】
又、本発明において、前記上床板の厚みは、前記下床板の厚みよりも薄いことが望ましい。この構成により、一般貨物用コンテナに転用するために、上床板の、カバーを覆っている部分のみを切り欠く際の作業が容易となる。
【０００９】
又、本発明において、前記下床板の上面と同一高さのカバーによって前記荷物固定用金具が覆われ、前記下床板には前記カバーとの干渉を防ぐための切欠きが設けられていることが望ましい。
本発明によれば、外周フレーム上面の、床板枠の内側近傍に取付けられた荷物固定用金具が、外周フレーム上面に直接載置される下床板の上面と同一高さのカバーによって覆い隠され、下床板にはカバーとの干渉を防ぐための切欠きが設けられていることから、下床板及びカバーの各上面は平坦となっている。そして、上床板は、下床板及びカバーによって下支えされており、荷重を受けてもたわみを生ずることの無い、完全に平坦な床面が構成される
【００１０】
又、本発明においては、前記カバーは、前記外周フレーム上面に固定され前記荷物固定金具の周囲を取り囲む壁と、該壁に対し着脱自在な蓋とからなることが望ましい。
本発明によれば、コンテナの組立工程において、外周フレーム上面に下床板を載置する際に、外周フレーム上面に固定された壁に切欠きを一致させることで、下床板の位置決めを簡単かつ確実に行うことが可能となる。又、一般貨物用コンテナに転用する際には、上床板の、カバーを覆っている部分のみを切り欠いた後、外周フレーム上面に固定され荷物固定金具の周囲を取り囲む壁から蓋を取り外すことで、床板枠の内側面に隣接して外周フレーム上面に取付けられた荷物固定用金具を、露出させることが可能となる。
【００１１】
又、本発明においては、前記上床板と前記下床板との間にクッション材が設けられていることが望ましい。
本発明によれば、クッション材によって搬送時の振動が吸収され、上床板に載置された荷物へと伝達される振動を低減することができる。
【発明の効果】
【００１２】
本発明はこのように構成したので、床面が完全に平坦であり、ロール紙等汚れや傷に弱い荷物を搬送するための専用コンテナの床構造を提供することができる。又、かかる専用コンテナを、荷物固定用金具を床面に備える一般貨物用コンテナに転用する際の、改造が容易な床構造を提供することができる。
【発明を実施するための最良の形態】
【００１３】
以下、本発明を実施するための最良の形態を添付図面に基づいて説明する。
本発明の実施の形態に係るコンテナ床構造は、図１、図２に示されるように、床板を支える鋼製の外周フレーム１０の上面に、床板の位置決めを行うための鋼製の床板枠１２が、外周フレーム１０の上面に直接載置されるアピトン合板からなる下床板１４の厚みよりも、高く設けられている。又、床板枠１４の内側面（コンテナの幅方向内側面）に隣接して、外周フレーム１０の上面に、下床板１４の厚みよりも格納状態の高さが低く抑えられた荷物固定用金具（ラッシングリング）１６が取付けられている（図４参照）。荷物固定用金具は、ブラケット１６ａによって、外周フレーム１０に対し回動自在に取付けられている。
【００１４】
更に、下床板１４の上面と同一高さのカバーによって、荷物固定用金具１６が覆われている。カバーは、ラッシングリング１６の周囲を取り囲むように、下床板１４の上面と同一高さで設けられた鋼製の壁１８（図４参照）と、壁１８の内側に嵌め込まれた鋼製の蓋２０とからなるものである。なお、下床板１４には壁１８との干渉を防ぐための切欠き１４ａが設けられている。そして、下床板１４及びカバーの各上面が、アピトン合板からなり、下床板１４よりも薄い上床板２２によって連続的に覆われ、外周フレーム１２の上面と上床板２２の上面とが同一高さとなっている。更に、上床板２２と下床板１４との間には、シート状のクッション材２４が設けられている。なお、上床板２２には、荷物固定用金具の位置表示としての凹凸又はペイントマークは、一切設けられていない。
【００１５】
上記構成を有する本発明の実施の形態によれば、次のような作用効果を得ることが可能となる。まず、下床板１４及び蓋２０の各上面が、上床板２２によって連続的に覆われ、外周フレーム１０の上面と上床板２２の上面とが同一高さとなっていることで、突起物が無く完全に平坦な床面が構成される。又、外周フレーム１０の上面の、床板枠１２の内側近傍に取付けられた荷物固定用金具１６が、外周フレーム１０の上面に直接載置される下床板１４の上面と同一高さのカバー（壁１８及び蓋２０）によって覆い隠され、下床板１４には壁１８との干渉を防ぐための切欠き１４ａが設けられていることから、下床板１４及び蓋２０の各上面は平坦となっている。そして、上床板２２は、下床板１４と、壁１８及び蓋２０とによって下支えされており、荷重を受けてもたわみを生ずることは無い。よって、床面が完全に平坦であり、ロール紙等汚れや傷に弱い荷物を搬送するに適したコンテナ床構造となっている。
【００１６】
又、上床板２２と下床板１４との間に設けられたクッション材２４によって、搬送時の振動が吸収され、上床板２２に載置された荷物へと伝達される振動を低減することができるので、ロール紙等汚れや傷に弱い荷物の搬送に適した床構造となっている。
【００１７】
一方、一般貨物用コンテナに転用する際には、図３に示されるように、上床板２２及びクッション材２４の、壁１８及び蓋２０を覆っている部分のみを切り欠き、蓋２０を取り外すことで、床板枠１２の内側面に隣接して外周フレーム上面に取付けられた荷物固定用金具１６を、露出させることが可能となる。
【００１８】
ところで、上床板２２の、壁１８及び蓋２０を覆っている部分のみを切り欠く際に、荷物固定用金具の位置表示としての凹凸又はペイントマークが、予め、上床板２２設けられていれば、除去部分の特定が容易となる。しかしながら、ロール紙等汚れや傷に弱い荷物にとって、上床板２２に凹凸やペイントマークが施されていること自体、好ましくない。そこで、上床板２２に荷物固定用金具の位置表示としての凹凸又はペイントマークを一切設けないこととした。なお、除去部分の特定は、例えば、コンテナ妻面から荷物固定用金具までの距離に相当する長さの治具を予め用意し、この治具を上床板２２に当てることで、正確に行うことができる。
しかも、上床板２２の厚みは、下床板１４の厚みよりも薄いことから、上床板２２の、カバーを覆っている部分のみを切り欠く際の作業が容易となる。
【００１９】
又、外周フレーム１０の上面に固定され荷物固定金具１６の周囲を取り囲む壁１８と、壁に対し着脱自在な蓋２０とによってカバーが構成されていることから、コンテナの組立工程において、外周フレーム１０の上面に下床板１４を載置する際に、外周フレーム１０の上面に固定された壁１８に、下床板１４の切欠き１４ａを一致させることで、外周フレーム１０に対する下床板１４の位置決めを簡単かつ確実に行うことが可能となる。又、このコンテナを一般貨物用コンテナに転用する際には、上床板２２の、壁１８及び蓋２０を覆っている部分のみを切り欠いた後、壁１８の内部に嵌め込まれた蓋２０を取り外すことで、荷物固定用金具１６を露出させることが可能となる。
【００２０】
なお、蓋２０に壁１８が一体に固定されたカバーを用い、一般貨物用コンテナに転用する際には、蓋２０と壁１８とを取り外すこととしても良い。又、外周フレーム１０の上面の、荷物固定用金具１６の周辺部（下床板１４の切欠き１４ａが形成された部分）に、上床板２２に加わる荷重を下支えするための支持部材を固定することとすれば、カバーは不要となる。
【図面の簡単な説明】
【００２１】
【図１】本発明の実施の形態に係るコンテナ床構造の平面図である。
【図２】（ａ）は、図１の符号Ａの部分の拡大図、（ｂ）は（ａ）のＢ−Ｂ断面図、（ｃ）は（ａ）のＣ−Ｃ断面図である。
【図３】専用コンテナから一般貨物用コンテナへと転用された状態を示しており、（ａ）は、図１の符号Ａに相当する部分の拡大図、（ｂ）は（ａ）のＢ−Ｂ断面図、（ｃ）は（ａ）のＣ−Ｃ断面図である。
【図４】本発明の実施の形態に係るコンテナ床構造の、外周フレームとその上面に取付けられた荷物固定用金具を示す斜視図である。
【符号の説明】
【００２２】
１０：外周フレーム、１２：床板枠、１４：下床板、１６：荷物固定金具、１８：壁、  ２０：蓋、２２：上床板、２４：クッション材
【図１】
2007308186.tif 000003
【図２】
2007308186.tif 000004
【図３】
2007308186.tif 000005
【図４】
2007308186.tif 000006